(57)【特許請求の範囲】
【請求項１】
胴部２より口頚部３を起立した容器体Ａと、口頚部外周に嵌合させた周壁４上端縁より内方へ、口頚部の上端開口の前部を被覆する計量皿５を延設してなるキャップ本体Ｂと、該本体上面を開閉可能に閉塞する蓋体Ｃとを備え、口頚部内後部に後部を回動可能に連結して、計量皿５下面に上面を当接させる錠剤通過不能状態から、計量皿５との間に錠剤の通過が可能な隙間をあけて係止する錠剤通過可能状態への自重による揺動が可能に設けるとともに、蓋体頂壁12裏面より垂設した係止棒13により、閉蓋時に錠剤通過可能状態を維持させる邪魔板Ｄを設け、該邪魔板Ｄが、口頚部３内に垂設したキャップ本体Ｂの支持板８下部内側に後部を軸着して上下揺動可能に設けるとともに、下面より後方へ突設した係合突起16を支持板８下面に当接係止可能に構成した邪魔板であることを特徴とする錠剤容器。
【請求項２】
上記計量皿５が、容器体口頚部３上端開口前部周縁部を被覆する平面視円弧帯状をなし、且つ、錠剤を一列円弧状に載置する計量皿である請求項１記載の錠剤容器。
【発明の詳細な説明】
【０００１】
【発明の属する技術分野】
本発明は錠剤容器に関する。
【０００２】
【従来の技術】
錠剤容器として、口頚部を起立した容器体と、口頚部外周に螺着させた周壁上端縁より口頚部上端開口を閉塞する頂壁を延設してなる蓋体とからなるものが一般に知られている。
【０００３】
【発明が解決しようとする課題】
従来のこの種の容器は、一定量を取り出すためには、その都度手のひら等に取り出した錠剤を数えて過剰なものを容器に返す等しており、面倒が伴う。特にこの種の容器では、口頚部が錠剤に比較してかなり大きいのが一般的であり、多量に取り出してしまう傾向にある。手のひら等に取り出した錠剤を容器に返すことは、収納錠剤が湿気る等の不都合が生じる虞があり好ましくない。
【０００４】
本発明は簡単な操作で定量の錠剤を取り出すことが出来、また、自動的に取り出し口の閉塞状態となり、取り出した錠剤を容器内に戻す等の必要はなく、取り扱いが極めて便利であり、また、錠剤の計量も確実に行える等優れた錠剤容器を提案するものである。
【０００５】
【課題を解決するための手段】
上記課題を解決するための第１の手段として、以下の通り構成した。即ち、胴部２より口頚部３を起立した容器体Ａと、口頚部外周に嵌合させた周壁４上端縁より内方へ、口頚部の上端開口の前部を被覆する計量皿５を延設してなるキャップ本体Ｂと、該本体上面を開閉可能に閉塞する蓋体Ｃとを備え、口頚部内後部に後部を回動可能に連結して、計量皿５下面に上面を当接させる錠剤通過不能状態から、計量皿５との間に錠剤の通過が可能な隙間をあけて係止する錠剤通過可能状態への自重による揺動が可能に設けるとともに、蓋体頂壁12裏面より垂設した係止棒13により、閉蓋時に錠剤通過可能状態を維持させる邪魔板Ｄを設けた。
【０００６】
また、第２の手段として、以下の通り構成した。即ち、前記第１の手段に於いて、上記計量皿５が、容器体口頚部３上端開口前部周縁部を被覆する平面視円弧帯状をなし、且つ、錠剤を一列円弧状に載置する計量皿である如く構成した。
【０００７】
また、第３の手段として、以下の通り構成した。即ち、前記第１の手段又は第２の手段のいずれかの手段に於いて、上記邪魔板Ｄが、口頚部３内に垂設したキャップ本体Ｂの支持板８下部内側に後部を軸着して上下揺動可能に設けるとともに、下面より後方へ突設した係合突起16を支持板８下面に当接係止可能に構成した邪魔板である如く構成した。
【０００８】
【発明の実施の形態】
以下、本発明の実施例の形態を図面を参照して説明する。
本発明の錠剤容器１は、容器体Ａと、キャップ本体Ｂと、蓋体Ｃと、邪魔板Ｄとを備えている。
【０００９】
容器体Ａは、合成樹脂等により形成されたもので、胴部２より口頚部３を起立して構成している。
【００１０】
キャップ本体Ｂは、口頚部外周に嵌合させた周壁４上端縁より内方へ、口頚部３上端開口の一部を被覆する計量皿５を延設して構成している。計量皿５の形態は種々採用出来るが、計量皿の被覆部分以外の口頚部上端開口部分は少なくとも容器体内に収納した錠剤が通過可能な広さを必要とするため、それに合わせた計量皿５の大きさとする。
【００１１】
本実施例では、周壁４上端縁より内方へフランジ状の頂板６を延設するとともに、頂板６の内周縁前半部より内方へ、平面視円弧帯状をなし、且つ、縦断面Ｖ字状に形成して錠剤を一列円弧状に載置する計量皿５を突設している。また、頂板の内周縁部より上方へ、蓋体Ｃを嵌合させるための嵌合筒７を立設している。更に、頂板６内周縁後部から下方口頚部３内へ支持板８を垂設し、この支持板８前面下部両側に突設した一対の突起９内側面に、邪魔板Ｄを軸着させるための軸10を各々突設している。
【００１２】
蓋体Ｃはキャップ本体Ｂ上面を開閉可能に閉塞するもので、図示例では、キャップ本体周壁４の後部上端に、薄肉ヒンジを介して後部下端を回動可能に連結した周壁11上端縁より頂壁12を延設して構成している。蓋体Ｃとキャップ本体Ｂとの連結は、図示例の薄肉ヒンジを介したものに限らず、弾性反転を行うことの出来る公知の弾性反転連結機構により連結させることも当然可能である。
【００１３】
また、頂壁12裏面からは邪魔板Ｄを係止するための係止棒13を所定長さをもって垂設している。所定の長さとは、図１に示す如く、邪魔板Ｄが下方係止状態にある場合に、その上面に下面を当接する長さとする。従って、その長さは係止棒13の垂設位置により変化する。
【００１４】
邪魔板Ｄは、口頚部内後部に後部を回動可能に連結して、計量皿５下面に上面を当接させる錠剤通過不能状態から、計量皿との間に錠剤の通過が可能な隙間をあけて係止する錠剤通過可能状態への自重による揺動が可能に設けるとともに、上記係止棒13により、閉蓋時に錠剤通過可能状態を維持させる如く構成している。錠剤通過不能状態では、容器体口頚部上端開口（キャップ本体上端開口）部を悉く閉塞する必要はなく、収納する錠剤が通過出来ない隙間が生じてもかまわない。
【００１５】
図示例では、キャップ本体Ｂの上端開口部と略相似状で小型の邪魔板本体14を有し、該本体後部中央より突設するとともに、外面に軸孔を穿設した一対の軸着部15を、上記軸10に回動可能に軸着している。また、軸着部15下面からは斜め後方へ、支持板８下面に当接係止されてそれ以上の邪魔板Ｄの下方への回動を規制する係合突起16を突設している。また、邪魔板本体14の前面左右より、計量皿５下面に当接係止されてそれ以上の上方への回動を規制する係合突起17をそれぞれ突設している。
【００１６】
以下、上記の如く構成した錠剤容器を使用する場合について説明する。
蓋体Ｃを閉じた状態で容器を倒立させた後正立させると、容器体内の錠剤ａが邪魔板Ｄと計量皿５との隙間から計量皿５に図り取られる。次いで、蓋体Ｃを開いて容器を再び倒立させると計量された錠剤ａを取り出すことが出来る。この際、邪魔板Ｄが自重で計量皿５側へ回動して錠剤通過不能状態となり、容器体内の錠剤が外部へ出るのを防止する。次いで、再び容器を正立させると邪魔板Ｄは自重で下方へ回動し、蓋体Ｃを閉じると、その係止棒13により下方へ移行した邪魔板Ｄ上面に当接して錠剤通過可能状態に係止する。
尚、上記各部材は全て合成樹脂等により形成することが出来る。
【００１７】
【発明の効果】
以上説明した如く本発明容器は、容器体口頚部３外周に嵌合させた周壁４上端縁より内方へ、口頚部の上端開口前部を被覆する計量皿５を延設してなるキャップ本体Ｂと、該本体上面を開閉可能に閉塞する蓋体Ｃとを備え、計量皿下面に上面を当接させる錠剤通過不能状態から、計量皿との間に錠剤の通過が可能な隙間をあけて係止する錠剤通過可能状態への自重による揺動が可能に設けるとともに、キャップ頂壁裏面より垂設した係止棒13により、閉蓋時に錠剤通過可能状態を維持させる邪魔板Ｄを設けたので、容器体を倒立した後正立するという簡単な操作で所定量の錠剤を計量することが出来、また、開蓋後容器を傾ければ、計量した所定量の錠剤を取り出すことが出来るとともに、邪魔板が自重で回動して錠剤の取り出し口が閉塞されて容器体内の余分な錠剤の飛び出しを防止し、次いで、容器を正立させて蓋体を閉じれば、計量可能な元の状態に戻るため、極めて使勝手が良い。
【００１８】
また、錠剤は計量させて取り出されるため、手のひら等に取り出した後再び容器体内に戻す等の不都合を生じる虞はない。
また、容器体口頚部３上端開口前部周縁部を被覆する平面視円弧帯状をなし、且つ、錠剤を一例円弧状に載置する計量皿５を設けたものにあっては、容器倒立時に計量された錠剤上に余分な錠剤が重なる場合があっても、正立時に確実に容器体内に戻り、より正確な計量が行える利点を兼ね備えている。
【００１９】
また、口頚部３内に垂設したキャップ本体Ｂの支持板８下部内側に後部を軸着して上下揺動可能に設けるとともに、下面より後方へ突設した係合突起16を支持板８下面に当接係止可能に構成した邪魔板Ｄを設けたものにあっては、錠剤通過可能状態の際に、邪魔板を必要以上に下方へ回動させずに係止させておくことが出来、その結果、計量皿側への自重による回動が容易で、蓋体を開いて容器を倒した際に、確実に取り出し口を閉塞できる利点を兼ね備えている。
【図面の簡単な説明】
【図１】本発明の一実施例を示す縦断面図である。
【図２】同実施例の邪魔板装着前の状態の縦断面図である。
【図３】同実施例の開蓋状態の要部平面図である。
【図４】同実施例の使用を説明する説明図である。
【符号の説明】
２…胴部，３…口頚部，４…キャップ本体周壁，５…計量皿，８…支持板，
12…蓋体頂壁，13…係止棒，16…係合突起，Ａ…容器体，
Ｂ…キャップ本体，Ｃ…蓋体，Ｄ…邪魔板，
【図１】
0003808195.tif 000002
【図２】
0003808195.tif 000003
【図３】
0003808195.tif 000004
【図４】
0003808195.tif 000005